(57)【特許請求の範囲】
【請求項１】
軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、軸筒の後端に、窓孔を後方に開口させる開口部を設け、前記開口部を介して操作体及び筆記体を、軸筒内から取り外し可能且つ軸筒内に挿入可能に構成し、前記開口部を閉鎖する蓋部を軸筒の後端部に着脱自在に螺着し、前記蓋部が、前端が開口された筒部と、該筒部の内面と一体に連結される芯部とを備え、前記筒部の内周面に雌ネジ部を形成し、軸筒の後端部の外周面に前記雌ネジ部に螺合可能な雄ネジ部を設け、前記芯部の前端部が、没入状態の筆記体の操作体が当接可能な当接壁部となり、前記芯部の外周面が軸筒の後端部の内周面と圧接されることを特徴とする多芯筆記具。
【請求項２】
前記開口部を介して筆記体と操作体とを連結状態で、軸筒内から取り外し可能且つ軸筒内に挿入可能に構成した請求項１記載の多芯筆記具。
【請求項３】
前記軸筒の内壁に弾発体の前端が軸方向に当接する弾発体支持部を設け、前記弾発体支持部に、弾発体の前端部を径方向に保持する保持部を形成した請求項１または２記載の多芯筆記具。
【請求項４】
前記開口部を開口した際、弾発体の後方への付勢によって各々の操作体が前記開口部から外部に突出される請求項１乃至３のいずれかに記載の多芯筆記具。
【請求項５】
前記各々の操作体を、連結される筆記体の内部に収容されたインキの色に着色した請求項１乃至４のいずれかに記載の多芯筆記具。
【請求項６】
前記軸筒の後端部の開口部の内壁の両側に、操作体の側面の挿入時の径方向の向きを規制するガイド部を備えた請求項１乃至５のいずれかに記載の多芯筆記具。
【発明の詳細な説明】
【技術分野】
【０００１】
本発明は、多芯筆記具に関する。詳細には、軸筒内に複数の筆記体を収容した多芯筆記具に関する。
【背景技術】
【０００２】
従来この種の筆記具において、特許文献１には、各筆記体の後部に隆起部を設けた摺動体を連接し、隆起部を軸筒の外方に突出させ、隆起部を摺動体に着脱自在に装着したことにより、使用者の好みにあった筆記体に交換した際に、誤った筆記体の選択をすることなく、また隆起部の形状や色柄も選択可能とした構成が開示されている。
【特許文献１】特開２００３−１１５８３号公報
【発明の開示】
【発明が解決しようとする課題】
【０００３】
前記従来の多芯筆記具は、ユーザーが、交換前に軸筒内に収容されていた筆記体とは異なる種類の筆記体に交換する際、摺動体を軸筒内に残した状態で、摺動体から筆記体と隆起部とを取り外し、その後、摺動体に新たな筆記体と新たな隆起部とを取り付ける。そのため、筆記体の交換作業が複雑であり、ユーザーが迅速且つ確実な交換を行うことができないおそれがあり、さらに、複数の筆記体を同時に交換する場合、誤って、筆記体とその筆記体に対応しない隆起部とを一つの摺動体に取り付けるおそれがある。また、前記隆起部は、小さな部品であるため、紛失しやすい。
【０００４】
本発明は、前記従来の問題点を解決するものであって、ユーザーが好みの筆記体とそれに対応した操作体を軸筒内に交換可能に収容でき、しかも、筆記体及び操作体を迅速且つ確実に交換することができる多芯筆記具を提供しようとするものである。尚、本発明において、「前」とはペン先側を指し、「後」とは反対側を指す。
【課題を解決するための手段】
【０００５】
【０００６】
【０００７】
【０００８】
[１]本発明は、軸筒２内に複数の筆記体６を前後方向に移動可能に収容し、前記各々の筆記体６を弾発体８により後方に付勢し、前記各々の筆記体６の後端に、各々の筆記体６に対応した操作体７を連結し、軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させる多芯筆記具であって、
軸筒２の後端に、窓孔４１を後方に開口させる開口部４２を設け、前記開口部４２を介して操作体７及び筆記体６を、軸筒２内から取り外し可能且つ軸筒２内に挿入可能に構成し、前記開口部４２を閉鎖する蓋部５を軸筒２の後端部に着脱自在に螺着し、前記蓋部５が、前端が開口された筒部５３と、該筒部５３の内面と一体に連結される芯部５２とを備え、前記筒部５３の内周面に雌ネジ部５４を形成し、軸筒２の後端部の外周面に前記雌ネジ部５４に螺合可能な雄ネジ部４５を設け、前記芯部５２の前端部が、没入状態の筆記体６の操作体７が当接可能な当接壁部５１となり、前記芯部５２の外周面が軸筒２の後端部の内周面と圧接されること（請求項１）を要件とする。
【０００９】
前記多芯筆記具１（請求項１）は、開口部４２を介して操作体７及び筆記体６が軸筒２から取り外し交換可能となることにより、ユーザーが軸筒２内の筆記体６を取り外して好みの筆記体６に交換できると同時に、操作体７も、軸筒２内から取り外してその筆記体６に適正に対応したものに交換でき、筆記体６と操作体７との誤った連結を防止できる。仮に、操作体７が軸筒２内から取り外し交換できない構成の場合、交換できる筆記体６の種類は、軸筒２内に収容された操作体７に対応した筆記体６のみに限られ、ユーザーが好みの筆記体６を自由に交換できない。また、前記多芯筆記具１（請求項１）は、筆記体６及び操作体７の二つの部品を、同一箇所（即ち開口部４２）を介して交換できるため、筆記体６及び操作体７の交換作業が単純になり、その交換作業を迅速且つ確実に行うことができる。また、前記多芯筆記具１（請求項１）は、蓋部５を軸筒２の後端部に着脱自在に螺着したことにより、開口部４２を確実に閉鎖することができる。もし、蓋部５が存在しない場合、開口部４２を確実に閉鎖することが困難となる。
【００１０】
尚、前記多芯筆記具１（請求項１）において、前記軸筒２の後端の開口部４２は、少なくとも、操作体７を軸筒２内から取り外す時及び操作体７を軸筒２内に挿入する時に開口していればよい。
【００１１】
［２］前記多芯筆記具１（請求項１）において、前記開口部４２を介して筆記体６と操作体７とを連結状態で、軸筒２内から取り外し可能且つ軸筒２内に挿入可能に構成すること(請求項２）が好ましい。
【００１２】
前記多芯筆記具１（請求項２）は、筆記体６及び操作体７を連結状態で、軸筒２内から取り外し可能且つ軸筒２内に挿入可能に構成したことにより、筆記体６及び操作体７の交換作業が、より一層、単純になり、いかなるユーザーでもその交換作業を迅速且つ確実に行うことができる。また、前記多芯筆記具１（請求項２）は、筆記体６と操作体７とを連結状態でユーザーに提供すれば、ユーザーが、筆記体６と操作体７とを連結することが不要となり、筆記体６の交換の際、筆記体６とその筆記体６に対応した操作体７とを誤って連結することを、確実に防止できる。
【００１３】
【００１４】
前記多芯筆記具１（請求項１）は、操作体７の交換時に、蓋部５を取り外すことにより、当接壁部５１を操作体７と当接する位置から移動させ、前記軸筒２後端の開口部４２を十分に大きく開口でき、操作体７を軸筒２内から容易に取り外すことができる。もし、当接壁部５１が軸筒２の後端に固定されて移動できない構成の場合、軸筒２後端の開口部４２が窓孔４１を後方に開口させるとしても、操作体７の交換時、開口部４２の後方への開口量が不十分となり、開口部４２から操作体７を容易に取り外すことが困難となるおそれがある。
【００１５】
前記多芯筆記具１（請求項１）において、前記開閉自在の蓋部５は、少なくとも、開口部４２の閉鎖時に当接壁部５１が、操作部７１と当接可能な適正な位置に配置されればよく、開口部４２を完全に閉鎖する必要はない。また、前記蓋部５は、螺着により軸筒２の後端部に取り付けられるため、ペン先突出状態からペン先没入状態に移行した筆記体６の後端部の操作体７が、弾発体８の後方付勢力によって勢いよく当接壁部５１に当接されても、蓋部５は容易に外れるおそれがない。
【００１６】
［３］前記多芯筆記具１（請求項１または２）において、前記軸筒２の内壁に弾発体８の前端が軸方向に当接する弾発体支持部９を設け、前記弾発体支持部９に、弾発体８の前端部を径方向に保持する保持部９２を形成すること（請求項３）が好ましい。
【００１７】
前記多芯筆記具１（請求項３）により、操作体７を軸筒２内から取り外すとき、弾発体８の前端部が保持部９２により径方向に保持されているため、弾発体８が軸筒２内から外部に脱落することを防止できる。もし、弾発体８が軸筒２内から外部に脱落すると、新たな操作体７を挿入する際に再び弾発体８を挿入する手間を要し、その上、弾発体８が紛失するおそれがある。前記保持部９２が弾発体８の前端部を保持する構成は、例えば、弾発体８の前端部外面を径方向内方に保持する構成、あるいは、弾発体８の前端部内面を径方向外方に保持する構成が挙げられる。
【００１８】
［４］前記多芯筆記具１（請求項１乃至３）において、前記開口部４２を開口した際、弾発体８の後方への付勢によって没入状態の操作体７が前記開口部４２から外部に突出されること（請求項４）が好ましい。
【００１９】
前記多芯筆記具１（請求項４）は、開口部４２を開口した際、軸筒２後端の開口部４２から後方に、各々の操作体７が突出状態にあるため、軸筒２後端の開口部４２を下向きにしなくても、操作体７を容易に取り出すことができる。
【００２０】
［５］前記多芯筆記具１（請求項１乃至４）において、前記各々の操作体７を、連結される筆記体６の内部に収容されたインキの色に着色したこと（請求項５）が好ましい。
【００２１】
前記多芯筆記具１（請求項５）は、各々の操作体７が内部に収容されたインキの色と同じ色または略同じ色に着色され、ペン先突出操作する筆記体６のインキ色を、軸筒２の窓孔４１から露出する操作部７１により、容易に識別することができる。前記多芯筆記具１（請求項５）は、特に、開口部４２を開口した際に開口部４２から操作体７が突出状態にある場合（請求項４の場合）、取り外すべきインキ色の筆記体６に連結された操作体７を、開口部４２から突出するその筆記体６の操作体７のインキ色を視認することにより、開口部４２から容易に識別できる。また、前記着色された操作体７が連結された状態の筆記体６が、軸筒２内に収容する前の状態(即ち軸筒２の外部にある状態)の場合、筆記体６のインキ色を、操作体７を視認することによって、比較的遠くからでも容易に識別できる。
【００２２】
［６］前記多芯筆記具１（請求項１乃至５）において、前記軸筒２の後端部の開口部４２の内壁の両側に、操作体７の側面の挿入時の径方向の向きを規制するガイド部４２１を備えること(請求項６)が好ましい。
【００２３】
前記多芯筆記具１（請求項６）は、ガイド部４２１により、操作体７を不適正な向きで軸筒２内に挿入することを抑止できる。さらに、前記ガイド部４２１は、操作体７の操作部７１が径方向外方に向いた状態でのみ、挿入可能な形状に設定することが好ましい。それにより、操作体７を、径方向の内と外の向きを逆向き（即ち操作体７の操作部７１が内方に向いた状態）で挿入した場合、操作体７が開口部４２から軸筒２内に挿入不能となり、操作体７の誤った組み付けを防止できる。
【００２４】
【００２５】
前記多芯筆記具１（請求項１）は、軸筒２の後端部が、前記窓孔４１を後方に開口させる開口部４２によって径方向に分割され、径方向外方に拡開変形し易いが、蓋部５の内周面に雌ネジ部５４を設け、前記軸筒２の後端部の外周面に、前記雌ネジ部５４に螺合可能な雄ネジ部４５を設けることにより、前記軸筒２の後端部の径方向外方への拡開変形を防止できる。  
【００２６】
尚、本発明で、筆記体６に対応した操作体７とは、筆記体６に対応した識別表示を有する操作体７であることが好ましい。前記識別表示は、例えば、インキ色表示、ペン先サイズの表示、筆跡幅の表示、ペン先種類の表示等が挙げられる。また、本発明で、筆記体６とは、例えば、ボールペン、マーキングペン、シャープペンシル等が挙げられる。尚、本発明で、軸筒２は、筆記体６のペン先６１が突出可能な前端孔３１を備えた前軸３と、側壁に窓孔４１を備え且つ後端に開口部４２を備える後軸４とからなる構成でもよい。また、前記前軸３に対して前記後軸４が前後方向に移動可能に構成し、筆記体６としてシャープペンシルを採用し、前記後軸４の前進により鉛芯の繰り出しを可能にできる。また、本発明で、軸筒２内に収容する筆記体６の本数は、２本以上であればよく、具体的には、２本、３本、４本、５本、６本等が挙げられる。
【発明の効果】
【００２７】
【００２８】
請求項１の多芯筆記具によれば、開口部を介して操作体及び筆記体が交換可能となり、ユーザーが好みの筆記体に交換できると同時に、操作体も、その筆記体に適正に対応したものに交換でき、筆記体と操作体との誤った連結を防止できる。また、筆記体及び操作体の交換作業が単純になり、その交換作業を迅速且つ確実に行うことができる。また、蓋部を軸筒の後端部に着脱自在に螺着したことにより、開口部を確実に閉鎖することができる。
【００２９】
請求項２の多芯筆記具によれば、筆記体及び操作体の交換作業が、より一層、単純になり、いかなるユーザーでもその交換作業を迅速且つ確実に行うことができる。また、筆記体と操作体とを連結状態でユーザーに提供すれば、ユーザーが、筆記体と操作体とを連結することが不要となり、筆記体の交換の際、筆記体とその筆記体に対応した操作体とを誤って連結することを、確実に防止できる。
【００３０】
請求項１の多芯筆記具によれば、操作体の交換時に、軸筒後端の開口部を十分に大きく開口でき、操作体を軸筒内から容易に取り外すことができる。また、ペン先突出状態からペン先没入状態に移行した筆記体の後端部の操作体が、勢いよく当接壁部に当接されても、蓋部は容易に外れるおそれがない。
【００３１】
請求項３の多芯筆記具によれば、弾発体が軸筒内から外部に脱落することを防止できる。
【００３２】
請求項４の多芯筆記具によれば、開口部を開口した際、軸筒後端の開口部を下向きにしなくても、操作体を容易に取り外すことができる。
【００３３】
請求項５の多芯筆記具によれば、ペン先突出操作する筆記体のインキ色を、軸筒の窓孔から露出する操作部により、容易に識別することができる。
【００３４】
請求項６の多芯筆記具によれば、ガイド部により、操作体を不適正な向きで軸筒内に挿入することを抑止できる。
【００３５】
請求項１の多芯筆記具によれば、軸筒の後端部の径方向外方への拡開変形を防止できる。
【発明を実施するための最良の形態】
【００３６】
図１乃至図８に本発明の実施の形態を示す。
本実施の形態の多芯筆記具１は、軸筒２内に複数本（具体的には２本）の筆記体６が前後方向に移動可能に収容されている。前記各々の筆記体６は、弾発体８（具体的には圧縮コイルスプリング）により、後方に付勢されている。
【００３７】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００３８】
前記後軸４の後部の側壁には、複数本（具体的には２本）の前後方向に延びる細長状の窓孔４１が、径方向に貫設される。前記２本の窓孔は、互いに、軸線に対して対称の位置に形成される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００３９】
前記後軸４の後端部（軸筒２の後端部）の側壁は、前記後端が後方に開口された窓孔４１により、径方向に分割される。また、前記後軸４の後端部の側壁の外周面には、雄ネジ部４５が形成される。
【００４０】
前記開口部４２の前端の両側の内壁には、操作体７の挿入時、操作体７の側面と摺動し、操作体７の側面の向きを規制するガイド部４２１が形成される。さらに、前記ガイド部４２１には、操作体７の抜け止め突起７６が挿入可能な凹部４２１ａが形成される。
【００４１】
また、前記後軸４の窓孔４１の相互間の側壁内面には、前後方向に延びるリブよりなる係止壁部４３が形成され、前記係止壁部４３に、ペン先６１が突出した際の筆記体６の操作体７の後端が係止される。
【００４２】
前記後軸４の窓孔４１の相互間の側壁外面には、クリップ４４が設けられる。
【００４３】
（蓋部）
前記後軸４の後端部には、前記開口部４２を閉鎖可能な蓋部５が着脱自在に螺着される。
前記蓋部５は、前端が開口された筒部５３と、該筒部５３の内面（詳細には該筒部５３の後端部の内周面）と一体に連結される芯部５２とからなる。前記筒部５３の内周面には雌ネジ部５４が形成される。前記筒部５３の雌ネジ部５４は、後軸４の後端部の雄ネジ部４５と螺合される。
【００４４】
前記芯部５２の前端部は、円柱形状を有し、前記蓋部５の後軸４の後端部に螺着した際（即ち筒部５３の雌ネジ部５４と後軸４の後端部の雄ネジ部４５とを螺合した際）、ガイド部４２１内に挿入されるとともに、没入状態の筆記体６の後端に連結された各々の操作体７の後端と衝止する当接壁部５１となる。また、蓋部５の筒部５３を後軸４の後端部に螺着した際、前記芯部５２の後部の外周面は、外周面に雄ネジ部４５を有する後軸４の後端部の内周面と圧接される。それにより、後端が開口した窓孔４１によって径方向に分割された後軸４の後端部が、蓋部５の筒部５３を後軸４の後端部に螺着した際、径方向内方へ変形することを抑止できる。
【００４５】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００４６】
また、前記ボールペンチップは、前端に回転可能に抱持されたボールを弾発体等により前方に付勢し、前端縁部の内面にボールを密接させる構成でもよい。また、ボールペンチップは、インキ収容管６２の前端開口部に圧入等により直接、取り付けてもよいが、本実施の形態ではペン先ホルダーを介してインキ収容管６２の前端開口部に固着される。
【００４７】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、前記鍔部７５の前面には、弾発体８の後端が係止される。また、前記操作体７の両方の側壁には抜け止め突起７６が形成される。前記抜け止め突起７６は窓孔４１の両方の側壁内面に係合可能である。
【００４８】
筆記体６のペン先６１が没入状態のとき、その筆記体６に取り付けられた操作体７の後端部は、蓋部５の前面に形成された当接壁部５１に衝止される。一方、筆記体６のペン先６１が突出状態のとき、その筆記体６に取り付けられた操作体７の後端部は、軸筒２の内壁に形成された係止壁部４３に係止される。
【００４９】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００５０】
（識別表示）
前記各々の操作体７は、連結される筆記体６の内部（即ちインキ収容管６２内部）に収容されたインキの色と略同じ色に着色される。具体的には、前記操作体７の各々は、連結される筆記体６のインキ色と略同じ色に着色された合成樹脂の成形体からなる。それにより、前記操作体７は、インキ色表示からなる識別表示を有する。例えば、インキ色が黒色の筆記体６に連結する操作体７は黒色に着色され、インキ色が青色の筆記体６に連結する操作体７は青色に着色され、インキ色が赤色の筆記体６に連結する操作体７は赤色に着色され、インキ色が緑色の筆記体６に連結する操作体７は緑色に着色される。本実施の形態では、インキ色の互いに異なる２本の筆記体６を軸筒２内に収容している。
【００５１】
また、各々の筆記体６がペン先６１のボールのサイズが互いに異なるボールペンの場合、ペン先６１のボールの外径寸法を表す数字よりなる識別表示を、操作体７の操作部７１に設けることが好ましい。また、各々の筆記体６がペン先６１の形状が互いに異なる筆記具の場合、ペン先６１の形状に対応した識別表示を、操作体７の操作部７１に設けることが好ましい。また、前記ペン先６１のボールの外径寸法を表す数字からなる識別表示、及びペン先６１の形状に対応した識別表示は、前記インキ色に着色された操作体７の操作部７１に設けることもできる。前記識別表示は、印刷、シール貼付、凸設、凹設等の手段により、操作体７に設けられる。
【００５２】
特に、インキ収容管６２が不透明材料からなる構成の場合またはインキ収容管６２が透明材料からなるとともに内部のインキが染料インキである構成の場合、内部のインキ色を外部より視認することが困難であるが、操作体７をインキの色と略同じ色に着色したことが有効に作用し、軸筒２外部に存在する交換前の筆記体６において、内部のインキ色を外部より容易に識別できる。
【００５３】
（弾発体支持部）
軸筒２の内壁（即ち後軸４の内壁）には、円筒状の弾発体支持部９が設けられる。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。
【００５４】
また、弾発体支持部９の後面の各々の内孔９１の周囲には、後方に突出する筒状突出部よりなる保持部９２が形成される。前記各々の保持部９２の内面は、各々の弾発体８の前端部外面が圧入保持される。それにより、各々の筆記体６及び操作体７を交換する際、軸筒２内から開口部４２を通して各々の弾発体８が脱落することを防止できる。
【００５５】
前記各々の弾発体８は、各々の操作体７（即ち各々の筆記体６）を、常時、後方に付勢している。前記各々の弾発体８は、ペン先突出状態及びペン先没入状態のいずれにおいても圧縮状態（即ち筆記体６が後方に付勢された状態）にあり、それにより、各々の操作体７の前後のがたつきが防止される。
【００５６】
（ペン先の出没）
本実施の形態におけるペン先６１の出没作動について説明する。
一つの操作体７の操作部７１を弾発体８の後方付勢に抗して窓孔４１に沿って前方にスライド操作すると、そのスライド操作された操作体７の前側突出部７２が、先に突出状態にある他の筆記体６の操作部７１の後側突出部７３を径方向外方に持ち上げる。それにより、軸筒２内壁の係止壁部４３と操作体７との係止状態が解除され、他の筆記体６が弾発体８の後方付勢により後方に移動され、他の筆記体６のペン先６１が軸筒２内に没入され、他の筆記体６の操作部７１の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４３に係止され、そのペン先突出状態が維持される。
【００５７】
（筆記体及び操作体の交換）
本実施の形態における筆記体６及び操作体７の交換について説明する。
筆記体６を交換する際、蓋部５が軸筒２の後端の開口部４２を閉鎖した状態（図７参照）から、蓋部５の雌ネジ部５４と軸筒２の後端部の雄ネジ部４５との螺合状態を解除し、蓋部５を軸筒２の後端部から取り外すことにより、軸筒２の後端の開口部４２を開口する。前記開口部４２を開口させると、前記開口部４２から各々の操作体７が、弾発体８の後方付勢により後方外部に突出される。前記軸筒２の後端の開口部４２が開口した状態（図８参照）で、操作体７を取り出すことにより、その操作体７と互いに連結状態にある筆記体６を、前記開口部４２を介して軸筒２内から取り出し、その後、互いに連結状態にある新たな筆記体６と新たな操作体７とを前記開口部４２を介して軸筒２内に挿入する。そして、蓋部５の当接壁部５１に各々の操作体７を当接させ、各々の操作体７を前方に押圧しながら前記蓋部５を軸筒２の後端部に螺着し、開口部４２を閉鎖する。これにより、筆記体６及び操作体７の交換作業が終了する。
【図面の簡単な説明】
【００５８】
【図１】本発明の多芯筆記具の実施の形態の全ペン先没入状態（非筆記時）を示す縦断面図である。
【図２】図１の多芯筆記具の一つのペン先が突出した状態（筆記時）を示す縦断面図である。
【図３】図１の多芯筆記具の後端部の操作体を省略したＡ−Ａ線拡大断面図である。
【図４】図３のＢ−Ｂ線断面図である。
【図５】図３のＣ−Ｃ線断面図である。
【図６】図３のＤ−Ｄ線断面図である。
【図７】図１の多芯筆記具の後端の開口部を閉鎖した状態を示す側面図である。
【図８】図１の多芯筆記具の後端の開口部を開口した状態を示す側面図である。
【符号の説明】
【００５９】
１  多芯筆記具
２  軸筒
３  前軸
３１  前端孔
４  後軸
４１  窓孔
４２  開口部
４２１  ガイド部
４２１ａ  凹部
４３  係止壁部
４４  クリップ
４５  雄ネジ部
５  蓋部
５１  当接壁部
５２  芯部
５３  筒部
５４  雌ネジ部
６  筆記体
６１  ペン先（ボールペンチップ）
６２  インキ収容管
７  操作体
７１  操作部
７２  前側突出部
７３  後側突出部
７４  嵌入部
７５  鍔部
７６  抜け止め突起
８  弾発体
９  弾発体支持部
９１  内孔
９２  保持部
【図１】
0004689378.tif 000002
【図２】
0004689378.tif 000003
【図３】
0004689378.tif 000004
【図４】
0004689378.tif 000005
【図５】
0004689378.tif 000006
【図６】
0004689378.tif 000007
【図７】
0004689378.tif 000008
【図８】
0004689378.tif 000009